(57)【要約】  バックボーン・エッジ・ブリッジのＩコンポーネント（１３）上のプロバイダ・インスタンス・ポート（ＰＩＰ）（１４）へ登録された、又はバックボーン・エッジ・ブリッジのＢコンポーネント上の加入者バックボーン・ポートへ登録された高レイヤ・エンティティ（１１ａ，１１ｂ，２２）からのフレームを、プロバイダ・バックボーン・ブリッジ・ネットワーク（ＰＢＢＮ）における対象とするエンティティへ到達させる、ＰＢＢＮにおける方法及びブリッジを提供する。仮想インスタンス・ポート・サービス・アクセス・ポイント（ＶＩＰ ＳＡＰ）（１０）は、Ｉコンポーネント上に設定された全てのＶＩＰ及び全ての高レイヤ・エンティティに対して、設定される。機能強化されたＶＩＰポート接続機能部（１２）は、加入者によって開始されたレイヤ２制御プロトコル（Ｌ２ＣＰ）をトンネリングするために、ＶＩＰ ＳＡＰ（１０）を利用する。専用多重化ＳＡＰ（２１）は、高レイヤ・エンティティのフレームを処理し、Ｌ２ＣＰを識別するために一般に認識されたサービス・インスタンスＩＤ（Ｉ−ＳＩＤ）値を割り当てられる。サービス・インスタンス多重エンティティ（２４）は、ＰＩＰ（１４）又は加入者バックボーン・ポートと、ＰＢＢＮ内のエンティティとの間でフレームを転送するために、専用多重化ＳＡＰ（２１）を利用する。
2010516136.tif 000002
【特許請求の範囲】
【請求項１】
バックボーン・エッジ・ブリッジのＩコンポーネント（１３）上のプロバイダ・インスタンス・ポート（ＰＩＰ）（１４）へ登録された、又はバックボーン・エッジ・ブリッジのＢコンポーネント上の加入者バックボーン・ポートへ登録された高レイヤ・エンティティ（１１ａ，１１ｂ，２２）からのフレームを、プロバイダ・バックボーン・ブリッジ・ネットワーク（ＰＢＢＮ）における対象とするエンティティへ到達させる、ＰＢＢＮのプロバイダ・バックボーン・ブリッジにおいて制御フレームを処理する方法であって、
前記Ｉコンポーネント（１３）上に設定された全てのＶＩＰ及び全ての高レイヤ・エンティティ（１１ａ，１１ｂ，２２）に対して、仮想インスタンス・ポート・サービス・アクセス・ポイント（ＶＩＰ ＳＡＰ）（１０）を設定するステップと、
加入者によって開始されたレイヤ２制御プロトコル（Ｌ２ＣＰ）をトンネリングするために、前記ＶＩＰ ＳＡＰを利用するステップと、
前記高レイヤ・エンティティのフレームに対して、前記Ｌ２ＣＰを識別するために一般に認識されたサービス・インスタンスＩＤ（Ｉ−ＳＩＤ）値を有する、専用多重化ＳＡＰ（２１）を設定するステップと、
前記ＰＩＰ（１４）又は前記加入者バックボーン・ポートと、前記ＰＢＢＮ内のエンティティとの間でフレームを転送するために、前記専用多重化ＳＡＰ（２１）を利用するステップと
を含むことを特徴とする方法。
【請求項２】
前記専用多重化ＳＡＰを設定する前記ステップは、
専用のＩ−ＳＩＤ値を前記専用多重化ＳＡＰに対して割り当てるステップを含むことを特徴とする請求項１に記載の方法。
【請求項３】
加入者によって開始されたＬ２ＣＰをトンネリングするために、前記ＶＩＰ ＳＡＰを利用する前記ステップは、
前記ＰＩＰによって送信開始され、前記ＰＢＢＮの反対側に位置する加入者ネットワークに到達することを要する、前記高レイヤ・エンティティの前記フレームをカプセル化するステップと、
各ブリッジ・ポートによって提供される、機能強化された内部サブレイヤ・サービス（ＥＩＳＳ）に対して提供される１つのコピーと、前記ＶＩＰに登録された高レイヤ・エンティティの各々に対して提供される１つのコピーとの、前記ＶＩＰを宛先とした各フレームの複数のコピーを提供するステップと
を含むことを特徴とする請求項１に記載の方法。
【請求項４】
加入者によって開始されたＬ２ＣＰをトンネリングするために、前記ＶＩＰ ＳＡＰを利用する前記ステップは、
前記ＰＩＰに対するＶＩＰ ＥＩＳＳ用アクセス・ポイントからの指示を、機能強化されたＶＩＰポート接続機能部によって受信するステップと、
前記指示に応じて、ＭＡＣ中継エンティティをサポートするＶＩＰ ＥＩＳＳ、及び前記高レイヤ・エンティティをサポートするＶＩＰ ＳＡＰにおいて同一のパラメータを有する対応する指示を、前記機能強化されたＶＩＰポート接続機能部によって提供するステップと
をさらに含むこと特徴とする請求項３に記載の方法。
【請求項５】
加入者によって開始されたＬ２ＣＰをトンネリングするために、前記ＶＩＰ ＳＡＰを利用する前記ステップは、
ＭＡＣ中継エンティティをサポートする前記ＶＩＰ ＥＩＳＳからの要求を、前記機能強化されたＶＩＰポート接続機能部によって受信するステップと、
前記要求に応じて、
前記高レイヤ・エンティティをサポートする前記ＶＩＰ ＳＡＰにおいて同一のパラメータを有する対応する指示を、前記機能強化されたＶＩＰポート接続機能部によって提供するステップと、
前記ＰＩＰに対する前記ＶＩＰ ＥＩＳＳ用アクセス・ポイントにおいて同一のパラメータを有する対応する要求を、前記機能強化されたＶＩＰポート接続機能部によって提供するステップと
をさらに含むこと特徴とする請求項４に記載の方法。
【請求項６】
加入者によって開始されたＬ２ＣＰをトンネリングするために、前記ＶＩＰ ＳＡＰを利用する前記ステップは、
前記高レイヤ・エンティティをサポートする前記ＶＩＰ ＳＡＰからの要求を、前記機能強化されたＶＩＰポート接続機能部によって受信するステップと、
前記要求に応じて、
前記ＭＡＣ中継エンティティに対する前記ＥＩＳＳ用アクセス・ポイントにおいて同一のパラメータを有する対応する指示を、前記機能強化されたＶＩＰポート接続機能部によって提供するステップと、
他の高レイヤ・エンティティをサポートする任意のＶＩＰ ＳＡＰにおいて同一のパラメータを有する対応する指示を、前記機能強化されたＶＩＰポート接続機能部によって提供するステップと、
ローカル・エリア・ネットワーク（ＬＡＮ）に対するアクセス・ポイントにおいて同一のパラメータを有する対応する要求を、前記機能強化されたＶＩＰポート接続機能部によって提供するステップと
をさらに含むこと特徴とする請求項５に記載の方法。
【請求項７】
フレームを転送するために前記専用多重化ＳＡＰを利用する前記ステップは、
内部サブレイヤ・サービス（ＩＳＳ）ＳＡＰからの指示を、サービス・インスタンス多重エンティティによって受信するステップと、
mac_service_data_unitパラメータの初期オクテットが有効なサービス・インスタンス・タグ・ヘッダを含むか否かを、前記サービス・インスタンス多重エンティティによって判定するステップとをさらに含み、
前記初期オクテットが有効なサービス・インスタンス・タグ・ヘッダを含む場合には、
前記mac_service_data_unitパラメータから前記タグ・ヘッダを除去するステップと、
Ｌ２ＣＰ ＳＡＰに対して前記指示を提供するステップとをさらに含み、
前記初期オクテットが有効なサービス・インスタンス・タグ・ヘッダを含まない場合には、
前記指示を変更せずにＰＩＰ ＩＳＳ ＳＡＰに提供するステップをさらに含むことを特徴とする請求項１に記載の方法。
【請求項８】
フレームを転送するために前記専用多重化ＳＡＰを利用する前記ステップは、
前記Ｌ２ＣＰ ＳＡＰからの指示を、前記サービス・インスタンス多重エンティティによって受信するステップと、
前記専用多重化ＳＡＰに対して割り当てられた前記Ｉ−ＳＩＤ値を使用して、ショート・サービス・インスタンス・タグ・ヘッダを先頭に付加することによって、前記mac_service_data_unitパラメータを変更するステップと、
前記サービス・インスタンス多重エンティティの前記ＩＳＳ ＳＡＰに対して要求を提供するステップと
をさらに含むことを特徴とする請求項７に記載の方法。
【請求項９】
フレームを転送するために前記専用多重化ＳＡＰを利用する前記ステップは、
前記ＰＩＰ ＩＳＳ ＳＡＰからの要求又は指示を、前記サービス・インスタンス多重エンティティによって受信するステップと、
前記要求又は指示を変更せずに前記ＩＳＳ ＳＡＰに対して提供するステップと
をさらに含む特徴とする請求項８に記載の方法。
【請求項１０】
バックボーン・エッジ・ブリッジのＩコンポーネント（１３）上のプロバイダ・インスタンス・ポート（ＰＩＰ）（１４）へ登録された、又はバックボーン・エッジ・ブリッジのＢコンポーネント上の加入者バックボーン・ポートへ登録された高レイヤ・エンティティ（１１ａ，１１ｂ，２２）からのフレームを、プロバイダ・バックボーン・ブリッジ・ネットワーク（ＰＢＢＮ）における対象とするエンティティへ到達させる、ＰＢＢＮにおけるブリッジであって、
前記Ｉコンポーネント（１３）上に設定された全てのＶＩＰ及び全ての高レイヤ・エンティティ（１１ａ，１１ｂ，２２）に対して設定される仮想インスタンス・ポート・サービス・アクセス・ポイント（ＶＩＰ ＳＡＰ）（１０）と、
加入者によって開始されたレイヤ２制御プロトコル（Ｌ２ＣＰ）をトンネリングするために、前記ＶＩＰ ＳＡＰ（１０）を利用する、機能強化されたＶＩＰポート接続機能部（１２）と、
前記高レイヤ・エンティティのフレームに対して、前記Ｌ２ＣＰを識別するために一般に認識されたサービス・インスタンスＩＤ（Ｉ−ＳＩＤ）値を有する、専用多重化ＳＡＰ（２１）と、
前記ＰＩＰ（１４）又は前記加入者バックボーン・ポートと、前記ＰＢＢＮ内のエンティティとの間でフレームを転送するために、前記専用多重化ＳＡＰ（２１）を利用するサービス・インスタンス多重エンティティ（２４）と
を備えることを特徴とするブリッジ。
【請求項１１】
前記専用多重化ＳＡＰは、専用のＩ−ＳＩＤ値を割り当てられることを特徴とする請求項１０に記載のブリッジ。
【請求項１２】
前記機能強化されたＶＩＰポート接続機能部は、
前記ＰＩＰによって送信開始され、前記ＰＢＢＮの反対側に位置する加入者ネットワークに到達することを要する、前記高レイヤ・エンティティの前記フレームをカプセル化する手段と、
各ブリッジ・ポートによって提供される、機能強化された内部サブレイヤ・サービス（ＥＩＳＳ）に対して提供される１つのコピーと、前記ＶＩＰに登録された高レイヤ・エンティティの各々に対して提供される１つのコピーとの、前記ＶＩＰを宛先とした各フレームの複数のコピーを提供する手段と
を備えることを特徴とする請求項１０に記載のブリッジ。
【請求項１３】
前記機能強化されたＶＩＰポート接続機能部は、
前記ＰＩＰに対するＶＩＰ ＥＩＳＳ用アクセス・ポイントからの指示を、機能強化されたＶＩＰポート接続機能部によって受信する手段と、
前記指示に応じて、ＭＡＣ中継エンティティをサポートするＶＩＰ ＥＩＳＳ、及び前記高レイヤ・エンティティをサポートするＶＩＰ ＳＡＰにおいて同一のパラメータを有する対応する指示を、前記機能強化されたＶＩＰポート接続機能部によって提供する手段と
をさらに備えることを特徴とする請求項１２に記載のブリッジ。
【請求項１４】
前記機能強化されたＶＩＰポート接続機能部は、
ＭＡＣ中継エンティティをサポートする前記ＶＩＰ ＥＩＳＳからの要求を、前記機能強化されたＶＩＰポート接続機能部によって受信する手段と、
前記要求に応じて、
前記高レイヤ・エンティティをサポートする前記ＶＩＰ ＳＡＰにおいて同一のパラメータを有する対応する指示を、前記機能強化されたＶＩＰポート接続機能部によって提供し、かつ、
前記ＰＩＰに対する前記ＶＩＰ ＥＩＳＳ用アクセス・ポイントにおいて同一のパラメータを有する対応する要求を、前記機能強化されたＶＩＰポート接続機能部によって提供する手段と
をさらに備えることを特徴とする請求項１２に記載のブリッジ。
【請求項１５】
前記機能強化されたＶＩＰポート接続機能部は、
前記高レイヤ・エンティティをサポートする前記ＶＩＰ ＳＡＰからの要求を、前記機能強化されたＶＩＰポート接続機能部によって受信する手段と、
前記要求に応じて、
前記ＭＡＣ中継エンティティに対する前記ＥＩＳＳ用アクセス・ポイントにおいて同一のパラメータを有する対応する指示を、前記機能強化されたＶＩＰポート接続機能部によって提供し、かつ、
他の高レイヤ・エンティティをサポートする任意のＶＩＰ ＳＡＰにおいて同一のパラメータを有する対応する指示を、前記機能強化されたＶＩＰポート接続機能部によって提供し、かつ、
ローカル・エリア・ネットワーク（ＬＡＮ）に対するアクセス・ポイントにおいて同一のパラメータを有する対応する要求を、前記機能強化されたＶＩＰポート接続機能部によって提供する手段と
をさらに備えることを特徴とする請求項１２に記載のブリッジ。
【請求項１６】
前記サービス・インスタンス多重エンティティは、
内部サブレイヤ・サービス（ＩＳＳ）ＳＡＰからの指示を、サービス・インスタンス多重エンティティによって受信する手段と、
mac_service_data_unitパラメータの初期オクテットが有効なサービス・インスタンス・タグ・ヘッダを含むか否かを、前記サービス・インスタンス多重エンティティによって判定する手段とをさらに備え、
前記初期オクテットが有効なサービス・インスタンス・タグ・ヘッダを含むという判定に応じて、前記mac_service_data_unitパラメータから前記タグ・ヘッダを除去し、かつ、Ｌ２ＣＰ ＳＡＰに対して前記指示を提供する手段と、
前記初期オクテットが有効なサービス・インスタンス・タグ・ヘッダを含まないという判定に応じて、前記指示を変更せずにＰＩＰ ＩＳＳ ＳＡＰに提供する手段とをさらに備えることを特徴とする請求項１０に記載のブリッジ。
【請求項１７】
前記サービス・インスタンス多重エンティティは、
前記Ｌ２ＣＰ ＳＡＰからの指示を、前記サービス・インスタンス多重エンティティによって受信する手段と、
前記専用多重化ＳＡＰに対して割り当てられた前記Ｉ−ＳＩＤ値を使用して、ショート・サービス・インスタンス・タグ・ヘッダを先頭に付加することによって、前記mac_service_data_unitパラメータを変更する手段と、
前記サービス・インスタンス多重エンティティの前記ＩＳＳ ＳＡＰに対して要求を提供する手段と
をさらに備えることを特徴とする請求項１０に記載のブリッジ。
【請求項１８】
前記サービス・インスタンス多重エンティティは、
前記ＰＩＰ ＩＳＳ ＳＡＰからの要求又は指示を、前記サービス・インスタンス多重エンティティによって受信する手段と、
前記要求又は指示を変更せずに前記ＩＳＳ ＳＡＰに対して提供する手段と
を備えることを特徴とする請求項１０に記載のブリッジ。
【請求項１９】
バックボーン・エッジ・ブリッジのＩコンポーネント（１３）上のプロバイダ・インスタンス・ポート（ＰＩＰ）（１４）へ登録された、又はバックボーン・エッジ・ブリッジのＢコンポーネント上の加入者バックボーン・ポートへ登録された高レイヤ・エンティティ（１１ａ，１１ｂ，２２）からのフレームを、プロバイダ・バックボーン・ブリッジ・ネットワーク（ＰＢＢＮ）における対象とするエンティティへ到達させる、ＰＢＢＮにおけるシステムであって、
相互に接続された複数のブリッジを備え、
各ブリッジは、
少なくとも２つのポートと、
前記ブリッジの前記ポートを相互に接続するメディア・アクセス制御（ＭＡＣ）中継エンティティと、
少なくとも１つの高レイヤ・エンティティ（１１ａ，１１ｂ，２２）と、
前記Ｉコンポーネント上に設定された全てのＶＩＰ及び全ての高レイヤ・エンティティ（１１ａ，１１ｂ，２２）に対して設定される仮想インスタンス・ポート・サービス・アクセス・ポイント（ＶＩＰ ＳＡＰ）（１０）と、
加入者によって開始されたレイヤ２制御プロトコル（Ｌ２ＣＰ）をトンネリングするために、前記ＶＩＰ ＳＡＰを利用する、機能強化されたＶＩＰポート接続機能部（１２）と、
前記高レイヤ・エンティティのフレームに対して、前記Ｌ２ＣＰを識別するために一般に認識されたサービス・インスタンスＩＤ（Ｉ−ＳＩＤ）値を有する、専用多重化ＳＡＰ（２１）と、
前記ＰＩＰ（１４）又は前記加入者バックボーン・ポートと、前記ＰＢＢＮ内のエンティティとの間でフレームを転送するために、前記専用多重化ＳＡＰ（２１）を利用するサービス・インスタンス多重エンティティ（２４）と
を備えることを特徴とするシステム。
【発明の詳細な説明】
【技術分野】
【０００１】
本発明は、通信ネットワークに関連するものである。具体的には、本発明は、限定を目的とすることなく、プロバイダ・バックボーン・ブリッジ・ネットワーク（ＰＢＢＮ）における制御フレームを処理する（handling）システム、方法及びブリッジを対象とする。本方法は、ブリッジに登録（attached to）された高レイヤ・エンティティ（higher layer entity）からのフレームが、ＰＢＢＮにおける対象とするエンティティへ到達することを可能にする。
【背景技術】
【０００２】
ローカル・エリア・ネットワーク及びメトロポリタン・エリア・ネットワークのＩＥＥＥ標準規格ドラフトである、仮想ブリッジ・ローカル・エリア・ネットワーク（ＩＥＥＥ Ｐ８０２．１Ｑ−２００６／Ｄ０．１）は、ＶＬＡＮ ａｗａｒｅブリッジが、少なくとも２つのブリッジ・ポート、及び少なくともスパニング・ツリー・プロトコル・エンティティを含む高レイヤ・エンティティを相互に接続する、メディア・アクセス制御（ＭＡＣ）中継エンティティを含むことを定める。ＭＡＣ中継エンティティは、メディア・アクセス方式と独立した、ブリッジ・ポート間のフレーム中継機能、フレームのフィルタリング機能、及びフィルタリング情報の学習機能を処理する。ＭＡＣ中継エンティティは、各ブリッジ・ポートによって提供される、機能強化された内部サブレイヤ・サービス（ＥＩＳＳ）を使用する。
【０００３】
各ブリッジ・ポートは、ＭＡＣサービスの１つ以上のインスタンス（instances）を提供するエンド・ステーションとしても機能し得る。ＭＡＣサービスの各インスタンスは、１つ以上の高レイヤ・エンティティによるＰＤＵの送信及び受信のために、プロトコルの識別、多重化、及び多重分離（demultiplexing）をサポートする、相異なる（distinct）論理リンク制御（ＬＬＣ）エンティティに対して提供される。
【０００４】
ブリッジは、プロトコル・フレームにおけるＭＡＣアドレスに続く“タイプ（type）”フィールドによって、レイヤ２制御プロトコル（Ｌ２ＣＰ）を識別する。Ｌ２ＣＰフレームの送信先アドレスは、フレームの接続期間と、ひいては送信先のポートとを決定する。従って、ブリッジ内の中継機能は、タイプによらず、送信先アドレスに従ったフレームの転送又はフィルタリングを行う。所定のプロトコルは、当該所定のプロトコルに対応する“タイプ”フィールドを含むフレームついてのみ動作するが、当該プロトコルは、必要であれば実行される動作を決定する他の基準を使用してもよい。これらの基準は、送信先のアドレス、ＶＬＡＮ ＩＤ、及びＭＡＣサービス・データ・ユニット（ＳＤＵ）内のフィールドの少なくとも１つを含んでいてもよい。フレームを処理する方法の決定に際してこれらの基準がどのように使用されるかは、プロトコルに依存する。プロトコル・エンティティによる、フレームを処理するか否かの決定は、中継によってフレームが転送されようとフィルタリングされようと無関係である。
【０００５】
ＩＥＥＥ標準８０２．１Ｑのセクション８．５に現在定められている、他のブリッジ・エンティティに対する高レイヤ・エンティティの接続性は、プロバイダ・バックボーン・エッジ・ブリッジ（ＢＥＢ）のポート等の、複合型のポートに要求される需要を満たさない。ＢＥＢポートは、ローカル・エリア・ネットワーク及びメトロポリタン・エリア・ネットワークに関するＩＥＥＥ標準ドラフトである非特許文献１に記載されている。プロバイダ・インスタンス・ポート（ＰＩＰ）又は加入者バックボーン・ポート（ＣＢＰ）に登録された高レイヤ・エンティティによって送信開始された（initiated）フレーム、又は当該エンティティを宛先としたフレームは、適切にタグを付されない場合、対象とする相手側のエンティティに到達しないであろう。さらに、ＢＥＢは、登録された加入者ネットワークによって開始されたＬ２ＣＰを、トンネリング、廃棄、又はピアリング（peering）する機能を有しない。現在の仕様はまた、高レイヤ・エンティティに、ネットワーク間接続インタフェース（Ｅ−ＮＮＩ）を介して通信させ得る仕組み（mechanism）を提供することもできない。これらの問題を解決するために、ＩＥＥＥ標準８０２．１Ｑに記載されたブリッジ・ポート接続機能（Bridge Port Connectivity functionality）に対する機能強化が必要とされている。
【先行技術文献】
【非特許文献】
【０００６】
【非特許文献１】Virtual Bridged Local Area Networks - Amendment 06: Provider Backbone Bridges (IEEE P802.1ah/D3.3, December 2006).
【発明の概要】
【発明が解決しようとする課題】
【０００７】
技術的に必要とされているのは、上述した問題に関連する問題を軽減するためのシステム、方法及びブリッジである。本発明は、そのようなシステム、方法及びブリッジを提供する。
【課題を解決するための手段】
【０００８】
本発明は、登録された（attached）加入者ネットワークによって送信開始された（initiated）Ｌ２ＣＰフレームをトンネリングする包括的な仕組みを提供し、また、高レイヤ・エンティティがＥ−ＮＮＩ上で通信することを可能にする仕組みを提供する。本発明は、プロバイダ・バックボーン・ブリッジ・ネットワーク（ＰＢＢＮ）に登録された加入者システムに対して制御フレームの高度な処理を提供し、また、他のＰＢＢＮのオペレータと制御プロトコルをやりとりする（exchanging）仕組みを提供する。
【０００９】
一実施形態において、本発明は、プロバイダ・バックボーン・ブリッジ・ネットワーク（ＰＢＢＮ）におけるプロバイダ・バックボーン・ブリッジにおける制御フレームを処理する方法を対象とする。本方法は、バックボーン・エッジ・ブリッジのＩコンポーネント上のプロバイダ・インスタンス・ポートへ登録された、又はバックボーン・エッジ・ブリッジのＢコンポーネント上の加入者バックボーン・ポートへ登録された高レイヤ・エンティティからのフレームを、ＰＢＢＮにおける対象とするエンティティへ到達させることを可能にする。本方法は、Ｉコンポーネント上に設定された全てのＶＩＰ及び全ての高レイヤ・エンティティに対して、仮想インスタンス・ポート（ＶＩＰ）サービス・アクセス・ポイント（ＳＡＰ）を設定するステップと、加入者によって開始されたレイヤ２制御プロトコル（Ｌ２ＣＰ）をトンネリングするために、ＶＩＰ ＳＡＰを利用するステップとを含む。本方法は、さらに、高レイヤ・エンティティのフレームに対して、Ｌ２ＣＰを識別するために一般に認識されたサービス・インスタンスＩＤ（Ｉ−ＳＩＤ）値を有する、専用多重化ＳＡＰを設定するステップと、プロバイダ・インスタンス・ポート又は加入者バックボーン・ポートと、ＰＢＢＮ内のエンティティとの間でフレームを転送するために、専用多重化ＳＡＰを利用するステップとを含む。
【００１０】
別の実施形態において、本発明は、バックボーン・エッジ・ブリッジのＩコンポーネント上のプロバイダ・インスタンス・ポートへ登録された、又はバックボーン・エッジ・ブリッジのＢコンポーネント上の加入者バックボーン・ポートへ登録された高レイヤ・エンティティからのフレームを、ＰＢＢＮにおける対象とするエンティティへ到達させる、ＰＢＢＮにおけるブリッジを対象とする。ブリッジは、Ｉコンポーネント上に設定された全てのＶＩＰ及び全ての高レイヤ・エンティティに対して設定されるＶＩＰ ＳＡＰと、加入者によって開始されたＬ２ＣＰをトンネリングするために、ＶＩＰ ＳＡＰを利用する、機能強化されたＶＩＰポート接続機能部とを備える。ブリッジは、さらに、高レイヤ・エンティティのフレームに対して、Ｌ２ＣＰを識別するために一般に認識されたＩ−ＳＩＤ値を有する、専用多重化ＳＡＰと、プロバイダ・インスタンス・ポート又は加入者バックボーン・ポートと、ＰＢＢＮ内のエンティティとの間でフレームを転送するために、専用多重化ＳＡＰを利用するサービス・インスタンス多重エンティティとを備える。
【００１１】
別の実施形態において、本発明は、バックボーン・エッジ・ブリッジのＩコンポーネント上のプロバイダ・インスタンス・ポートへ登録された、又はバックボーン・エッジ・ブリッジのＢコンポーネント上の加入者バックボーン・ポートへ登録された高レイヤ・エンティティからのフレームを、ＰＢＢＮにおける対象とするエンティティへ到達させる、ＰＢＢＮにおけるシステムを対象とする。システムは、相互に接続された複数のブリッジを備え、各ブリッジは、少なくとも２つのポートと、ブリッジのポートを相互に接続するメディア・アクセス制御（ＭＡＣ）中継エンティティと、少なくとも１つの高レイヤ・エンティティとを備える。各ブリッジは、さらに、Ｉコンポーネント上に設定された全てのＶＩＰ及び全ての高レイヤ・エンティティに対して設定されるＶＩＰ ＳＡＰと、加入者によって開始されたＬ２ＣＰをトンネリングするために、ＶＩＰ ＳＡＰを利用する、機能強化されたＶＩＰポート接続機能部とを備える。各ブリッジは、さらに、高レイヤ・エンティティのフレームに対して、Ｌ２ＣＰを識別するために一般に認識されたＩ−ＳＩＤ値を有する、専用多重化ＳＡＰを備える。サービス・インスタンス多重エンティティは、プロバイダ・インスタンス・ポート又は加入者バックボーン・ポートと、ＰＢＢＮ内のエンティティとの間でフレームを転送するために、専用多重化ＳＡＰを利用する。
【図面の簡単な説明】
【００１２】
【図１】２つの高レイヤ・エンティティと、Ｉコンポーネント上の機能強化されたＶＩＰポート接続機能部とに対してＶＩＰ ＳＡＰを提供する場合の、本発明の典型的な実施形態を示す図である。
【図２】Ｉコンポーネント上のＰＩＰ又はＢコンポーネント上のＣＢＰによって送信開始され、ＰＢＢＮ内の装置へ到達することを要する、高レイヤ・エンティティのフレームに対して専用多重化ＳＡＰを提供する場合の、本発明の典型的な実施形態を示す図である。
【図３】本発明の方法の典型的な実施形態のフローチャートである。
【発明を実施するための形態】
【００１３】
以下では、本発明の本質的な特徴について、添付の図面を参照して好適な実施形態を示すことによって、詳細に説明する。
【００１４】
本発明は、Ｉコンポーネント上のプロバイダ・インスタンス・ポート、又はＢコンポーネント上の加入者バックボーン・ポートに登録された高レイヤ・エンティティを、プロバイダ・バックボーン・ブリッジ・ネットワークにおける対象とするエンティティに対して到達可能にする。特に、本発明は、仮想インスタンス・ポート（ＶＩＰ）サービス・アクセス・ポイント（ＳＡＰ）を、Ｉコンポーネント上に設定される全てのＶＩＰ及び全ての高レイヤ・エンティティに対して導入することによって、加入者によって開始された（customer-initiated）Ｌ２ＣＰのトンネリングを実現する。本発明は、専用多重化ＳＡＰを利用することによって、ＰＩＰ又はＣＢＰと、ＰＢＢＮ内のエンティティとの通信を実現する。ここで、専用多重化ＳＡＰは、例えば0xFFFFFF等の、特定のサービス・インスタンスＩＤ（Ｉ−ＳＩＤ）値を割り当てられる。
【００１５】
Ｉコンポーネントは、プロバイダ・ブリッジ・フレームのカプセル化（encapsulation）／カプセル化解除（decapsulation）を実行するＢＥＢのコンポーネントである。Ｉコンポーネントは、ＰＢＢＮのエッジに設置される。Ｉコンポーネントは、ＩＥＥＥ８０２．１の加入者インスタンス・ポートの各々が、サービスＶＬＡＮタグ（ＳＴＡＧ）を認識でき、また、ＩＥＥＥ８０２．１のＰＩＰの各々が、バックボーンＭＡＣアドレス及びサービス・インスタンスＴＡＧ（Ｉ−ＴＡＧ）を使用するイーサネット（登録商標）フレームの内部に、フレームのカプセル化／カプセル化解除を行うことができる、Ｓ−ＶＬＡＮ−ａｗａｒｅブリッジ・コンポーネントで構成される。Ｂコンポーネントは、ＰＢＢＮ上のフレームの転送処理を実行するＢＥＢのコンポーネントである。Ｂコンポーネントは、ＰＢＢＮのエッジに設置される。Ｂコンポーネントは、ＩＥＥＥ８０２．１のプロバイダ・バックボーン・ポートの各々がバックボーンＶＬＡＮタグ（Ｂ−ＴＡＧ）を認識できるＳ−ＶＬＡＮ−ａｗａｒｅブリッジ・コンポーネントで構成される。
【００１６】
２セットの高レイヤＳＡＰは、ＰＩＰ上に設定される。即ち、（１）ＶＩＰ ＳＡＰが、Ｉコンポーネント上の全ての高レイヤ・エンティティ及び全てのＶＩＰポートに提供され、（２）専用多重化ＳＡＰが、Ｉコンポーネント上のＰＩＰによって、又はＢコンポーネント上のＣＢＰによって送信開始され、ＰＢＢＮの内部の装置へ到達することを要する、高レイヤ・エンティティのフレームに提供される。ＶＩＰ ＳＡＰは、実際には、ＰＩＰの内部への仮想インスタンス・ポートと関連する一方で、専用多重化ＳＡＰもまた、Ｂコンポーネント上の加入者バックボーン・ポートに対して適用され得る。
【００１７】
図１は、Ｉコンポーネント１３上の２つの高レイヤ・エンティティ１１ａ、１１ｂ、及び機能強化されたＶＩＰポート接続機能部１２に対してＶＩＰ ＳＡＰ１０を提供する際の、本発明の典型的な実施形態を示す。ＰＩＰ１４によって送信開始され、介在する（intervening）ＰＢＢＮの反対側に位置する加入者ネットワークに到達することを要する、高レイヤ・エンティティのフレームは、データ・フレームと同じ方法でカプセル化される。そのような使用の一例は、ＰＢＢＮを介して透過的に伝送される、プロバイダによってブリッジされた（Provider Bridged）ＢＰＤＵの使用である。機能強化されたＶＩＰポート接続機能部１２は、当該ＶＩＰを宛先とする各フレームの複数のコピーを提供し、当該コピーは、１つはＥＩＳＳ用のコピーであり、１つはＶＩＰに登録された各々の高レイヤ・エンティティ用コピーである。
【００１８】
ＰＩＰ１４に対するＶＩＰ ＥＩＳＳ用アクセス・ポイント１５によって提供される各指示（Indication）は、ＭＡＣ中継エンティティ１７をサポートするＶＩＰ ＥＩＳＳ１６、及び高レイヤ・エンティティ１１ａ、１１ｂをサポートするＶＩＰ ＳＡＰ１０において同一のパラメータを有する、対応する指示を生じさせる。ＭＡＣ中継エンティティ１７をサポートするＶＩＰ ＥＩＳＳ用アクセス・ポイント１６からの各要求（Request）は、高レイヤ・エンティティに対するＶＩＰ ＳＡＰアクセス・ポイント１０において同一のパラメータを有する対応する指示と、ＰＩＰに対するＶＩＰ ＥＩＳＳ用アクセス・ポイント１５において同一のパラメータを有する対応する要求（Request）とを生じさせる。高レイヤ・エンティティをサポートするＶＩＰ ＳＡＰ用アクセス・ポイント１０からの各要求は、ＭＡＣ中継エンティティに対するＶＩＰ ＥＩＳＳ用アクセス・ポイント１６、及び高レイヤ・エンティティに対する他のアクセス・ポイントとにおいて同一のパラメータを有する対応する指示と、ＬＡＮ１５に対するアクセス・ポイントにおいて同一のパラメータを有する対応する要求とを生じさせる。
【００１９】
ローカル・エリア・ネットワーク及びメトロポリタン・エリア・ネットワークのＩＥＥＥ標準規格ドラフトである“Virtual Bridged Local Area Networks - Amendment 05: Connectivity Fault Management (IEEE P802.1ag/D7.1, November 2006).”の対応するsubclauseに記載されているように、Ｓ−ＶＬＡＮのタグが付加されていない（untagged）、ＬＬＣ高レイヤＳＡＰ１８から投入された（injected）フレームは、ＥＩＳＳ多重エンティティ１９を利用する。
【００２０】
図２は、Ｉコンポーネント上のＰＩＰ又はＢコンポーネント上のＣＢＰによって送信開始され、ＰＢＢＮの内部の装置に到達することを要する、高レイヤ・エンティティのフレームに対して、専用多重化ＳＡＰ２１を提供する際の、本発明の典型的な実施形態を示す。各専用多重化ＳＡＰは、レイヤ２制御プロトコル（Ｌ２ＣＰ）を識別するために一般に認識された、例えばＩ−ＳＩＤ0xFFFFFF等のＩ−ＳＩＤ値を割り当てられる。ＩＳＳ ＳＡＰ２３からの指示の受信に基づいて、サービス・インスタンス多重エンティティ２４は、有効なサービス・インスタンス・タグ・ヘッダ用のmac_service_data_unitパラメータの初期オクテット（octets）を検査する。当該初期オクテットが、有効なショート・サービス・インスタンス・タグ・ヘッダを含み、Ｉ−ＳＩＤ値がＬ２ＣＰ用の多重化ＳＡＰに対して割り当てられた値と一致する場合、このタグ・ヘッダは、mac_service_data_unitから除去され、当該指示がＬ２ＣＰ ＳＡＰ２１に対して与えられる。さもなければ、当該指示は、変更されずに単一のＰＩＰ ＩＳＳ ＳＡＰ２４に対して与えられる。
【００２１】
Ｌ２ＣＰ ＳＡＰ２１からの要求の受信に基づいて、サービス・インスタンス多重エンティティ２４は、割り当てられた（例えば0xFFFFFF等の）Ｉ−ＳＩＤ値を使用してショート・サービス・インスタンス・タグ・ヘッダを先頭に付加することによって、mac_service_data_unitパラメータを変更する。当該要求は、次に、サービス・インスタンス多重エンティティの、単一のＩＳＳ ＳＡＰ２３に対して与えられる。ＰＩＰ ＩＳＳ ＳＡＰ２５からの要求又は指示は、変更されずに単一のＩＳＳ ＳＡＰ２３に対して与えられる。
【００２２】
このように、本発明は、登録された加入者ネットワークによって送信開始されたＬ２ＣＰフレームをトンネリングする包括的な仕組みを提供し、また、高レイヤ・エンティティを、ネットワーク間接続インタフェースを介して通信させる仕組みを提供する。本発明は、プロバイダ・バックボーン・ブリッジ・ネットワークに登録された加入者システムに対して制御フレームの高度な処理を提供し、また、他のＰＢＢＮのオペレータと制御プロトコルをやりとりする仕組みを提供する。
【００２３】
図３は、本発明の方法の典型的な実施形態のフローチャートである。ステップ３１において、ＶＩＰ ＳＡＰ１０は、Ｉコンポーネント１３上の全てのＶＩＰ及び高レイヤ・エンティティ１１ａ、１１ｂ、２２に設定される。ステップ３２において、ＶＩＰ ＳＡＰは、加入者によって開始されたＬ２ＣＰをトンネリングするために利用される。ステップ３３において、専用多重化ＳＡＰは、Ｌ２ＣＰを識別するために、高レイヤ・エンティティのフレーム用に一般に認識されたＩ−ＳＩＤを設定される。ステップ３４において、専用多重化ＳＡＰは、ＰＩＰ及び加入者バックボーン・ポートと、ＰＢＢＮにおけるエンティティとの間でフレームを転送するために利用される。
【００２４】
本発明の好適な実施形態を、添付の図面に示し、上述の詳細な説明で説明してきたが、本発明はそれらに開示された実施形態に限定されることはなく、以下の特許請求の範囲によって定められることが理解されよう。
【図１】
2010516136.tif 000003
【図２】
2010516136.tif 000004
【図３】
2010516136.tif 000005
【国際調査報告】
2010516136.tif 000006
2010516136.tif 000007